(57)【要約】【課題】複数のコイル巻を有する書込みコイルを含むヘッドを提供する。【解決手段】一部の実施形態において、ヘッドは、複数のコイル巻を有する書込みコイルを含む。複数のコイル巻の一部は浮上面の近隣に配置され、Ｖ字形またはＵ字形を形成する。一部の実施形態において、ヘッドは、複数のコイル巻を有する書込みコイルを含む。浮上面に最も近いコイル巻はテーパーされる。【選択図】図２
2013152776.tif 000002
【特許請求の範囲】
【請求項１】
ヘッドであって、
複数のコイル巻を有する書込みコイルを含み、
前記複数のコイル巻の一部は、浮上面の近隣に配置され、Ｖ字形を形成する、ヘッド。
【請求項２】
前記書込みコイルはらせんコイル構造である、請求項１に記載のヘッド。
【請求項３】
前記書込みコイルは平面コイル構造である、請求項１に記載のヘッド。
【請求項４】
前記書込みコイルは書込み器の近隣に配置される、請求項１に記載のヘッド。
【請求項５】
前記書込みコイルは読取り器の近隣に配置される、請求項１に記載のヘッド。
【請求項６】
前記浮上面に最も近いコイル巻は前記浮上面に隣接する平坦部を有する、請求項１に記載のヘッド。
【請求項７】
前記書込みコイルはテーパーされ前記Ｖ字形を形成する、請求項１に記載のヘッド。
【請求項８】
前記Ｖ字形は狭い突起外形を引起す、請求項１に記載のヘッド。
【請求項９】
ヘッドであって、
平面コイル構造の複数のコイル巻を有する書込みコイルを含み、
前記複数のコイル巻の一部は、浮上面の近隣に配置され、Ｕ字形を形成する、ヘッド。
【請求項１０】
前記浮上面に最も近いコイル巻は前記浮上面に隣接する平坦部を有する、請求項９に記載のヘッド。
【発明の詳細な説明】
【技術分野】
【０００１】
概要
一般的に、本開示の一部の実施形態は、成形された書込みコイルを有する読取り／書込みヘッドを含む装置および方法に関する。
【発明の概要】
【課題を解決するための手段】
【０００２】
一部の実施形態において、ヘッドは、複数のコイル巻を有する書込みコイルを含む。複数のコイル巻の一部は浮上面（Air Bearing Surface）の近隣に設置され、Ｖ字形またはＵ字形を形成する。
【０００３】
一部の実施形態において、ヘッドは、複数のコイル巻を有する書込みコイルを含む。浮上面に最も近いコイル巻はテーパーされる。
【図面の簡単な説明】
【０００４】
【図１】本開示の一部の実施形態に係る読取り／書込みヘッドの一部を示す側面図である。
【図２】本開示の一部の実施形態に係る書込みコイルの一部を示す図である。
【図３】本開示の一部の実施形態に係る書込みコイルの一部を示す図である。
【図４】本開示の一部の実施形態に係る書込みコイルの一部を示す図である。
【図５】本開示の一部の実施形態に係る書込みコイルの一部を示す図である。
【図６】本開示の一部の実施形態に係る突起外形を示すグラフである。
【発明を実施するための形態】
【０００５】
詳細な説明
本開示は、読取り／書込みヘッド用の書込みコイルを含む装置、システムおよび方法に関する。書込みコイルの形状を調節することによって、読取り／書込みヘッドの媒体に面する表面の突起外形を調節することができる。
【０００６】
データ記憶装置の動作中、読取り／書込みヘッドは記録媒体の近隣に設置され、記録媒体からのデータの読取りおよび記録媒体へのデータの書込みを行なう。ヘッドに設けられた読取り器または書込み器と記録媒体との間の距離を制御するため、ヘッドは、熱突起を引起す１つまたは複数の加熱回路を備えることができる。図１は、書込み器部分１０２および読取り器部分１０４を有する読取り／書込みヘッド１００を示している。書込み器部分１０２は、書込み器とこの書込み器の周りにおよび／または近隣に設置された１つのコイルまたは１組のコイルとを有する。この１つのコイルまたは１組のコイルは、平面状（図示）またはらせん状（しばしば平形コイルと呼ばれる）であってもよい。コイルは、バックビア（back via）に巻かれている。加熱回路１０６は、書込み器部分１０２の近隣に設置される。電流が加熱回路１０６に流れると、加熱回路１０６は局部的な熱を発生し、浮上面（ＡＢＳ：Air Bearing Surface）において熱突起を引起す。図１は、点線によってダウントラック方向に沿う熱突起の例を示している。この熱突起は、記録媒体１０８に向かって突出している。
【０００７】
加熱素子を使用する場合、突起の形状または外形は、その周囲にある書込みコイルのような大きな体積を有するものの形状に依存する。書込みコイルのような大きな体積を有するものは、銅のような高熱膨張係数を有する材料から作ることができる。加熱素子を用いてまたは書込みコイルに電流を流すことによって書込みコイルを加熱すると、書込みコイルの形状は突起形状に影響を与える。したがって、本開示の一部の実施形態は、書込みコイルを成形することによって突起形状および読取り／書込み変換器と記録媒体との間に生じる接触面積を制御するシステム、装置および方法に関する。
【０００８】
図２は、複数のコイル巻２０２〜２０６を有するらせん状の書込みコイル２００の一部を示している。コイル巻２０２は、浮上面（ＡＢＳ）の最も近くに設置され、その次にコイル巻２０４および２０６が設置される。コイル巻２０２〜２０６はテーパーされＶ字形を形成して、狭い突起形状を与える。図２に示すように、コイル巻２０２〜２０６は、コイルとＡＢＳとの間の距離が近いほど薄くなっている。コイル巻２０２は、ＡＢＳの近傍において平坦部２０８を有する。書込みコイル２００およびそのコイル巻２０２〜２０６の形状を調節することによって、クロストラック方向において突起形状を広くまたは狭くすることができる。たとえば、平坦部の幅を調節すると、クロストラック方向において突起の幅が調節される。平坦部２０８を広くすればするほど、突起および読取り／書込みヘッドと記録媒体との間に生じる接触面積は広くなる。したがって、図６に示され、図２の書込みコイル２００と類似の書込みコイル設計により引起された突起形状を示す突起外形６００と同様に、突起形状を狭くなるように調整することができる。上記において、単一の書込みコイルが使用されたが、類似の突起形状は複数の書込みコイルを用いて得ることも可能である。たとえば、３つのコイル巻を有する書込みコイルを用いる代わりに、３つの個別の書込みコイルを使用してもよい。
【０００９】
図３は、複数のコイル巻３０２〜３０６を有する平面状の書込みコイル３００の一部を示している。コイル巻３０２はＡＢＳの最も近くに設置され、その次にコイル巻３０４および３０６が設置される。これらのコイル巻は、ＡＢＳの近くでテーパーされＶ字形を形成して、狭い突起形状を与える。図３に示すように、コイル巻３０２〜３０６は、コイルとＡＢＳとの間の距離が近いほど薄くなっている。コイル巻３０２は、ＡＢＳの近傍において平坦部３０８を有する。書込みコイル３００およびそのコイル巻３０２〜３０６の形状を調節することによって、クロストラック方向において突起形状を広くまたは狭くすることができる。たとえば、平坦部の幅を調節すると、クロストラック方向において突起の幅が調節される。上記において、単一の書込みコイルが使用されたが、類似の突起形状は複数の書込みコイルを用いて得ることも可能である。たとえば、３つのコイル巻を有する書込みコイルを用いる代わりに、３つの個別の書込みコイルを使用してもよい。
【００１０】
図４は、複数のコイル巻４０２〜４０６を有するらせん状の書込みコイル４００の一部を示している。コイル巻４０２はＡＢＳの最も近くに設置され、その次にコイル巻４０４および４０６が設置される。これらのコイル巻は、ＡＢＳの近くでテーパーされＵ字形を形成して、広い突起形状を与える。コイル巻４０２は、ＡＢＳの近傍において平坦部４０８を有する。図４のより長い平坦部４０８は広い外形を引起して、クロストラック方向において突起外形を広げる。より広い形状は、突起および読取り／書込みヘッドと記録媒体との間に追加の接触面積を与える。図６は、図４の書込みコイル４００と類似の書込みコイル設計により引起された突起外形６０２を示している。上記において、単一の書込みコイルが使用されたが、類似の突起形状は複数の書込みコイルを用いて得ることも可能である。たとえば、３つのコイル巻を有する書込みコイルを用いる代わりに、３つの個別の書込みコイルを使用してもよい。
【００１１】
図５は、複数のコイル巻５０２〜５０６を有する平面状の書込みコイル５００の一部を示している。これらのコイル巻は、ＡＢＳの近くでテーパーされＵ字形を形成して、広い突起形状を与える。コイル巻５０２は、ＡＢＳの近傍において平坦部５０８を有する。図５のより長い平坦部５０８は広い外形を引起して、クロストラック方向において突起外形を広げる。より広い形状は、突起および読取り／書込みヘッドと記録媒体との間に追加の接触面積を与える。上記において、単一の書込みコイルが使用されたが、類似の突起形状は複数の書込みコイルを用いて得ることも可能である。たとえば、３つのコイル巻を有する書込みコイルを用いる代わりに、３つの個別の書込みコイルを使用してもよい。
【００１２】
図６は、異なる書込みコイル設計により引起された突起形状の例示的な外形６００、６０２を示すグラフである。外形６００は、図２に示されたものと類似の書込みコイル設計により引起されたクロストラック方向の突起形状を表している。外形６００は、図４に示されたものと類似の書込みコイル設計により引起されたクロストラック方向の突起形状を表す外形６０２よりも鋭く狭い突起形状を有する。平面状コイル設計の場合においても、それぞれ類似の突起形状が見られる。
【００１３】
理解すべきことは、本発明のさまざまな実施形態の多数の特徴および利点を、本発明のさまざまな実施形態の構造および機能の詳細とともに前述において説明してきたが、この詳細な説明は例示にすぎず、特に本発明の原理に包含される構造および構成要件の配置に関し、添付の請求の範囲を表す用語の幅広い意味により示される全範囲において、詳細な変更が可能であることである。
【図１】
2013152776.tif 000003
【図２】
2013152776.tif 000004
【図３】
2013152776.tif 000005
【図４】
2013152776.tif 000006
【図５】
2013152776.tif 000007
【図６】
2013152776.tif 000008
【手続補正書】
【提出日】平成25年3月7日(2013.3.7)
【手続補正１】
【補正対象書類名】特許請求の範囲
【補正対象項目名】全文
【補正方法】変更
【補正の内容】
【特許請求の範囲】
【請求項１】
ヘッドであって、
複数のコイル巻を有する書込みコイルを含み、
前記複数のコイル巻の一部は、浮上面の近隣に配置され、Ｖ字形を形成し、
前記書込みコイルはらせんコイル構造または平面コイル構造である、ヘッド。
【請求項２】
ヘッドであって、
複数のコイル巻を有する書込みコイルを含み、
前記複数のコイル巻の一部は、浮上面の近隣に配置され、Ｖ字形を形成し、
前記書込みコイルはらせんコイル構造である、ヘッド。
【請求項３】
ヘッドであって、
複数のコイル巻を有する書込みコイルを含み、
前記複数のコイル巻の一部は、浮上面の近隣に配置され、Ｖ字形を形成し、
前記書込みコイルは平面コイル構造である、ヘッド。
【請求項４】
前記書込みコイルは書込み器の近隣に配置される、請求項１に記載のヘッド。
【請求項５】
前記書込みコイルは読取り器の近隣に配置される、請求項１に記載のヘッド。
【請求項６】
前記浮上面に最も近いコイル巻は前記浮上面に隣接する平坦部を有する、請求項１に記載のヘッド。
【請求項７】
前記書込みコイルはテーパーされ前記Ｖ字形を形成する、請求項１に記載のヘッド。
【請求項８】
前記Ｖ字形は狭い突起外形を引起す、請求項１に記載のヘッド。
【請求項９】
ヘッドであって、
平面コイル構造の複数のコイル巻を有する書込みコイルを含み、
前記複数のコイル巻の一部は、浮上面の近隣に配置され、Ｕ字形を形成する、ヘッド。
【請求項１０】
前記浮上面に最も近いコイル巻は前記浮上面に隣接する平坦部を有する、請求項９に記載のヘッド。